(57)【要約】      （修正有）【課題】無線通信の品質を維持しつつ、無線通信と同時にストロボ発光を可能にする。【解決手段】無線通信時（＃１０２）にストロボ発光を行う場合は、カメラに内蔵されたストロボのコンデンサの充電を禁止して（＃１０３）、内蔵ストロボの発光を禁止し、カメラに装着された外部ストロボの充電を要求し（＃１０５）、外部ストロボでの発光を行う。【選択図】図４
2006113357.tif 000002
【特許請求の範囲】
【請求項１】
内蔵ストロボと、外部ストロボと、無線通信装置を有するカメラ及びカメラシステムにおいて、無線通信時にストロボの発光を行う場合は内蔵ストロボの発光を禁止し外部ストロボの発光を行う事、を特徴とするカメラ及びカメラシステム。
【請求項２】
カメラと電源を共有する内蔵ストロボと、カメラと電源を共有しない外部ストロボと、無線通信装置を有するカメラ及びカメラシステムにおいて、無線通信時にストロボの充電を行う場合は外部ストロボの充電を行う事、を特徴としたカメラ及びカメラシステム。
【発明の詳細な説明】
【技術分野】
【０００１】
本発明はカメラ及びカメラシステムに係り、特に他の機器との無線通信を行う無線通信手段を有するカメラ及びカメラシステムに関するものである。
【背景技術】
【０００２】
特開平１１−２８２０６２号において、撮影装置とストロボを有し無線通信を行う電子機器において、無線通信の通信品位を維持するために通信中はストロボの充電及び発光を禁止する電子機器及びその制御方法が開示されている。
【０００３】
しかしながら、特開平１１−２８２０６２号に開示される電子機器及びその制御方法は、無線通信中はストロボの充電及び発光を制限するために、無線通信中はストロボ撮影を行うことができない。
【０００４】
そのためストロボ撮影を連続で行う場合、（１）ストロボ撮影時は、カメラ外部の記録装置に画像を転送する無線通信の終了まで、ストロボの充電及び撮影を待つ必要があるためにストロボ撮影のインターバルが長くなる、（２）カメラのＣＣＤで取り込んだプレビュー画像を、無線通信を使ってカメラ外部の表示装置に表示しながらストロボ撮影することができない、というような問題が発生する。
【発明の開示】
【発明が解決しようとする課題】
【０００５】
本発明の課題は、スタジオ撮影等の大量ストロボ撮影及び、遠隔ストロボ撮影の利便性を向上させたカメラ及びカメラシステムを提供することである。
【０００６】
そのために本発明の第１の目的は、無線通信の通信品位を維持しつつ無線通信と同時にストロボ発光を可能にすることである。
【０００７】
本発明の第２の目的は、動作に必要な消費電力が電源の供給能力を備え、カメラの動作及び無線通信が不安定になることを回避することである。
【課題を解決するための手段】
【０００８】
第１の目的を達成するために、請求項１に記載のカメラ及びカメラシステムは、内蔵ストロボと、外部ストロボと、無線通信装置を有するカメラ及びカメラシステムを前提として、無線通信時にストロボの発光を行う場合は内蔵ストロボの発光を禁止し外部ストロボの発光を行う。
【０００９】
請求項１のカメラ及びカメラシステムによって、無線通信と関連させてカメラに内蔵されたストロボと外部ストロボの発光制御を行うことによって、比較的カメラ内蔵の無線通信用のアンテナから離れた位置にある外部ストロボを用いてストロボの発光を行うことで、無線通信へのノイズの影響を回避しつつストロボ撮影が可能となる。
【００１０】
第２の目的を達成するために、請求項２に記載のカメラ及びカメラシステムは、カメラと電源を共有する内蔵ストロボと、カメラと電源を共有しない外部ストロボと、無線通信装置を有するカメラ及びカメラシステムを前提として、無線通信時にストロボの充電を行う場合は内蔵ストロボの充電を禁止し、外部ストロボの充電を行う。
【００１１】
請求項２のカメラ及びカメラシステムによって、無線通信時はカメラと電源を共有しない外部ストロボに充電することで、無線通信中のストロボ発光準備を行ってもカメラの消費電力のピークを押さえることが可能となりカメラの動作の安定化を可能とする。
【発明の効果】
【００１２】
本発明によって、無線通信に対応してカメラ内蔵及び外部接続のストロボの発光及び充電制御をすることで、ストロボの無線通信に対するノイズの影響及びカメラ電源への影響を軽減し、無線通信の通信品位を維持しつつ無線通信と同時にストロボ撮影を可能とし、外部記録装置に画像を転送しながらストロボ撮影を連続で行うことができる。
【発明を実施するための最良の形態】
【００１３】
図１は本発明の実施の形態のカメラ及びカメラシステムの外観図である。
【００１４】
図２は本発明の実施の形態のカメラ及びカメラシステムのブロック図である。
【００１５】
図３は本発明の実施の形態の無線通信を用いて外部記録装置に画像を転送する撮影動作の全体フローを示したものである。
【００１６】
図４は本発明の実施の形態のストロボ充電処理のフローチャートを示したものである。
【００１７】
図５は本発明の実施の形態の撮影動作のフローチャートを示したものである。
【００１８】
図１から図３において、１から１８は実施の形態のカメラの構成を示す。
【００１９】
１０１は外部ストロボであり、上記デジタルカメラと外部ストロボでカメラシステムを構成する。
【００２０】
１はカメラ本体、２はＣＣＤ等の撮像素子を用いて画像を撮影する撮影光学系、３は電池、４はストロボ発光部、５はストロボコンデンサ、６は無線通信用のアンテナ、７はレリーズスイッチ、８はカメラの制御を行うマイコン、９は撮影光学系駆動回路、１０はマイコン等の処理及び画像の一時記録を行うメモリー、１１は画像処理回路、１２はストロボ駆動回路、１３は無線通信回路、１４は外部入出力回路、１５はカメラのモードを選択するモード選択手段、１６は外部ストロボ等を取り付けるアクセサリーシューである。
【００２１】
１０１は電池１０２、ストロボコンデンサ１０３、発光部１０４、外部ストロボ駆動回路１０５を有し、アクセサリーシュー１６に取り付けられる外部ストロボである。
【００２２】
２０１はカメラシステム外部にあって、無線通信手段を有しカメラシステムと通信可能な外部記録装置である。
【００２３】
上記のように構成されたカメラシステムにおいて、無線通信を用いて外部記録装置２０１に画像を転送する撮影動作の全体フローを図３に示す。
【００２４】
撮影モードを判別しモードによってストロボの充電（＃１）を行う。
【００２５】
撮影待機し、レリーズスイッチによって撮影動作（＃２）を行う。
【００２６】
無線通信で外部記録装置に撮影画像を転送する（＃３）。
【００２７】
ストロボ撮影を連続でする場合、無線通信とストロボの充電及び発光を同時に安定して行う必要がある。
【００２８】
＃３撮影画像の転送及び遠隔撮影時の撮影操作等で用いられる無線通信動作を説明する。
【００２９】
無線通信はカメラの制御を行うマイコン８とは独立した無線通信回路１３によって行われており、ストロボ充電動作＃１、撮影動作＃２の無線通信動作と同時に行うことができる。
【００３０】
カメラシステム外部からの無線通信の要求を受けた場合もしくはマイコン８によって外部機器との送信を要求された場合に、アンテナ６及び無線通信回路１３によって外部機器と無線通信接続処理を行い、無線通信が確立されると通信を開始する。外部機器もしくはマイコン８の通信終了要求もしくは通信の遮断が所定の条件を満たした場合に無線通信の終了処理が行われる。
【００３１】
図４はストロボ充電処理（＃１）のフローチャートである。
【００３２】
モード選択手段１５で撮影者によって選択されたモードがストロボ強制発光か撮影条件を自動判別するオートモードであるかを調べ（＃１０１）、強制発光もしくはオートモードの場合、ストロボコンデンサの充電動作に移る。
【００３３】
ストロボコンデンサの充電について説明する。無線通信中にカメラに内蔵のストロボコンデンサの充電を行うと、カメラ電源に対する無線通信とストロボ充電の両方の負荷が重なるために無線通信及びカメラ本体の動作が不安定になる。またカメラ内蔵のストロボコンデンサに充電中はトランスの発信ノイズによって無線通信が妨げられる場合がある。
【００３４】
そこでマイコン８は無線通信回路１３の動作を調べる（＃１０２）。無線通信中の場合、ストロボ駆動回路１２に対し内蔵ストロボコンデンサの充電を禁止する（＃１０３）。次に外部入出力回路１４によって外部ストロボを検出し（＃１０４）、外部ストロボが装着されている場合、外部入出力回路１４から外部ストロボに対し充電動作を要求する（＃１０５）。
【００３５】
無線通信が行われていない場合、ストロボ駆動回路１２を用いて内蔵ストロボコンデンサの充電を行う（＃１０６）。次に外部入出力回路１４によって外部ストロボを検出し（＃１０７）、外部ストロボが装着されている場合、外部入出力回路１４から外部ストロボに対し充電動作を要求する（＃１０８）。
【００３６】
無線通信中で外部ストロボが装着されていない場合、無線通信が終了するまでストロボ駆動回路によるストロボ充電を禁止することで無線通信の品質を保証する。
【００３７】
図５は撮影動作（＃２）のフローチャートである。
【００３８】
撮影者によってレリーズスイッチが操作されたことをマイコン８が検知すると（＃２０１）、露出条件決定のために、撮影光学系２によって所定の条件で撮影し画像を取り込む。取り込まれた画像の輝度から被写界の明るさを検知し露出時間、絞り値を決定する（＃２０２）。
【００３９】
次に焦点調節を行う。撮影光学系２のフォーカスレンズを駆動しながら画像を取り込み、画像の所定範囲のコントラストを求め、コントラストがピークになるフォーカスレンズ位置を合焦位置とし、フォーカスレンズを移動させ合焦動作を行う（＃２０３）。
【００４０】
撮影モードがオートモードの場合、＃２によって求めた露出時間が打ち切り秒時以下の場合は手ぶれの恐れがあるため、ストロボ撮影を行う（＃２０４）。またストロボ強制発光モードの時は露出時間に関係なくストロボ撮影を行う（＃２０５）。
【００４１】
マイコン８は撮影光学系駆動回路９を用いて、シャッターを開き露光を開始する（＃２０６）。
【００４２】
無線通信中であるかを検出し（＃２０７）、無線通信中は露光開始から所定時間経過後（＃２０８）、外部ストロボのみを発光する（＃２０９）。
【００４３】
無線通信中でない場合は露光開始から所定時間経過後（＃２１０）、内蔵ストロボと外部ストロボを発光する（＃２１１）。
【００４４】
露光量の積分値が所定値に達したかもしくは所定の露出時間に達した場合（＃２１２）はシャッターを閉じ露光を完了する（＃２１３）。
【００４５】
＃２０５でストロボ撮影を行わないと判断された場合、通常撮影を行い撮影動作を終了する（＃２１４）。
【００４６】
撮影が終了し、画像処理及び圧縮が終了すると、無線通信回路を用いて外部記録装置との無線通信を確立し、外部記録装置への画像の転送を開始する（＃３）。同時に次の撮影に備え処理＃１に従ってストロボの充電を開始する。
【００４７】
また外部ストロボの電源はカメラ内部の電源と独立しているため、無線通信中に外部ストロボの充電を行ってもカメラ側の電源に対する負荷が増えないため、無線通信及びカメラ本体の動作が不安定になることがない。
【００４８】
また外部ストロボのストロボコンデンサと発光部、充電回路はカメラ内の無線通信用のアンテナから離れているため無線通信中に充電もしくは発光しても無線通信の妨げにはならない。
【図面の簡単な説明】
【００４９】
【図１】カメラ及びカメラシステムの外観図。
【図２】カメラ及びカメラシステムのブロック図。
【図３】無線通信を用いて外部記録装置に画像を転送する撮影動作の全体フローチャート。
【図４】ストロボ充電処理のフローチャート。
【図５】撮影動作のフローチャート。
【符号の説明】
【００５０】
１  カメラ本体
２  撮影光学系
３  電池
４  ストロボ発光部
５  ストロボコンデンサ
６  無線通信用のアンテナ
７  レリーズスイッチ
８  マイコン
９  撮影光学系駆動回路
１０  メモリー
１１  画像処理回路
１２  ストロボ駆動回路
１３  無線通信回路
１４  外部入出力回路
１５  モード選択手段
１６  アクセサリーシュー
１０１  外部ストロボ
１０２  電池
１０３  ストロボコンデンサ
１０４  発光部
１０５  外部ストロボ駆動回路
２０１  外部記録装置
【図１】
2006113357.tif 000003
【図２】
2006113357.tif 000004
【図３】
2006113357.tif 000005
【図４】
2006113357.tif 000006
【図５】
2006113357.tif 000007